(57)【要約】【課題】電気的な差込接続のためのコンタクトケーシング１であって、装着開口３を通って差込可能なコンタクトボディ４を収容するための複数のコンタクトチャンバ２が設けられており、コンタクトボディを一次係止するための係止エレメント５が設けられており、コンタクトボディを二次ロックするためのロックエレメント７が設けられており、ロックエレメントが、ロック突起１５で、ガイド面１６を形成するようになっている形式のものを改良して、多部分から成るコンタクトチャンバを備えた多ピン式で複数列のコネクタにおいて比較的小さなコンタクト間隔を実現するようなものを提供する。【解決手段】ロックエレメント７のガイド面１６が、差込方向６でみてロック突起１５を越えて延びていて、かつ別のコンタクトチャンバ２において一次係止されたコンタクトボディ４のための接触面を形成する。【選択図】図１
2007311347.tif 000002
【特許請求の範囲】
【請求項１】
電気的な差込接続のためのコンタクトケーシング（１）であって、
装着開口（３）を通ってコンタクトチャンバ（２）に差込可能なコンタクトボディ（４）を収容するための複数のコンタクトチャンバ（２）が設けられており、
終了位置でコンタクトチャンバ（２）に差し込まれたコンタクトボディ（４）を一次係止するための、側方でコンタクトチャンバ（２）に突入する係止エレメント（５）が設けられており、
コンタクトチャンバ（２）に一次係止されたコンタクトボディ（４）を二次ロックするための、隣接する２つのコンタクトチャンバ（２）の間で、コンタクトボディ（４）の差込方向（６）に対して横向きに移動可能にガイドされたロックエレメント（７）が設けられており、
ロックエレメント（７）が、ロック突起（１５）で、ロック位置において側方でコンタクトチャンバ（２）に突入し、かつロック突起（１５）とは反対側で、別のコンタクトチャンバ（２）のガイド面（１６）を形成するようになっている形式のものにおいて、
ロックエレメント（７）のガイド面（１６）が、差込方向（６）でみてロック突起（１５）を越えて延びていて、かつ別のコンタクトチャンバ（２）において一次係止されたコンタクトボディ（４）のための接触面を形成するようになっていることを特徴とする、電気的な差込接続のためのコンタクトケーシング。
【請求項２】
ロックエレメント（７）が、ロック突起（１５）の側でも、コンタクトチャンバ（２）のガイド面（１７）を備えており、該ガイド面（１７）が、差込方向（６）でみてロック突起（１５）を越えて延びていて、かつコンタクトチャンバ（２）において一次係止されたコンタクトボディ（４）のための接触面を形成するようになっている、請求項１記載のコンタクトケーシング。
【請求項３】
コンタクトボディ（４）を一次係止するための係止エレメント（５）が、弾性的に変位可能な係止アームであり、該係止アームが、差込方向（６）で、または差込方向（６）とは逆向きに、隣接する２つのコンタクトチャンバ（２）の間で延びている、請求項１または２記載のコンタクトケーシング。
【請求項４】
係止アーム（５）が、隣接する２つのコンタクトチャンバ（２）を側方で制限している、請求項３記載のコンタクトケーシング。
【請求項５】
隣接する２つのコンタクトチャンバ（２）の間の最小間隔が、係止アーム（５）の幅に相当する、請求項３または４記載のコンタクトケーシング。
【請求項６】
隣接する２つのコンタクトチャンバ（２）の間に、仕切壁（１４、１９）が設けられている、請求項１から５までのいずれか１項記載のコンタクトケーシング。
【請求項７】
仕切壁（１４，１９）が、ロックエレメント（７）の一方または両方のガイド面（１６，１７）と整合している、請求項６記載のコンタクトケーシング。
【請求項８】
ロックエレメント（７）が、ケーシング下部（１１）とケーシング上部（１２）との間に配置されている、請求項１から７までのいずれか１項記載のコンタクトケーシング。
【請求項９】
ロックエレメント（７）が、ケーシング上部（１１）内でガイドされている、請求項８記載のコンタクトケーシング。
【発明の詳細な説明】
【技術分野】
【０００１】
本発明は、電気的な差込接続のためのコンタクトケーシングであって、装着開口を通ってコンタクトチャンバに差込可能なコンタクトボディを収容するための複数のコンタクトチャンバが設けられており、終了位置でコンタクトチャンバに差し込まれたコンタクトボディを一次係止するための、側方でコンタクトチャンバに突入する係止エレメントが設けられており、コンタクトチャンバに一次係止されたコンタクトボディを二次ロックするための、隣接する２つのコンタクトチャンバの間で、コンタクトボディの差込方向に対して横向きに移動可能にガイドされたロックエレメントが設けられており、ロックエレメントが、ロック突起で、ロック位置において側方でコンタクトチャンバに突入し、かつロック突起とは反対側で、別のコンタクトチャンバのガイド面を形成するようになっている形式のものに関する。
【背景技術】
【０００２】
自動車分野では現在電気的な差込接続においてコンタクトシステムが使用され、ここでは個々のコンタクトが、第１の作業ステップで電気線路に接続されて、第２の作業ステップでコネクタのコンタクトチャンバ内で係止される。この場合主に２つの一次係止機構が用いられる。いわゆる「ランスコンタクト（Lanzenkontakten）」では、コンタクトの弾性的な金属エレメントが、コンタクトチャンバ内で凹部もしくはアンダカットに係止する。いわゆる「クリーンボディーコンタクト（Clean-Body-Kontakten）では、コンタクトチャンバの構成要素がコンタクトの凹部もしくはアンダカットに弾性的に作用し、このようにしてコンタクトを係止する。多部分から成るチャンバシステムでは、クリーンボディーコンタクトのための２つの係止タイプが公知である。第１の係止タイプの特徴によれば、係止アームがコンタクト肩部の高さでコンタクトチャンバ壁に結合されており、係止フックがコンタクト開口の傍でコンタクトアンダカットに係止する。係止アームは、実質的に差込方向で延びていて、かつ保持に際して実質的に軸方向で圧縮負荷される。第２の係止タイプの特徴によれば、係止アームがコンタクト開口の高さでコンタクトチャンバ壁に結合されており、係止フックがコンタクト肩部に作用するか、またはコンタクト肩部の傍で適当な開口に係止する。係止アームは、実質的に差込方向に対して逆向きに延びていて、かつ保持に際して実質的に軸方向で引張負荷される。両方の場合、係止フックを備えた係止アームは、一般的な形式で、コンタクトチャンバ壁の一部としてコンタクト支持体下部に射出成形される。係止フックの提供は、コンタクト支持体下部におけるコンタクトチャンバの１機能に過ぎない。さらにコンタクト支持体下部におけるコンタクトチャンバの一部は、望ましくはチャンバ壁を通るコンタクトをガイドして、これによりコンタクトの正確な間隔を確保する。追加的にコンタクトチャンバは、望ましくは対向するコンタクトピンのための導入ホッパを形成する。安定した係止フック、確実なコンタクトガイドおよび安定した導入ホッパの技術的な要求に、維持されるかまたはそれどころか増加するコンタクトサイズでより小さなコンタクト間隔を求める現在の顧客要求が対立する。現在コンタクトチャンバのこれ以上の接近は、射出技術的かつ離型技術的な観点から制限されている。なぜならば射出成形型の壁厚もプラスチック壁厚も限界まできているという理由による。
【０００３】
多ピン式の差込接続のコンタクトチャンバでは、通常、一次的に係止されたコンタクトが、追加的にいわゆる二次ロックによりコンタクトチャンバ内での正確な位置に関して検査され、一次係止が機能しない場合、追加的に正確な差込深さで確保される。多ピン式の差込接続では、多くの場合、前取付された横向きに移動可能な二次ロックプレートが使用され、二次ロックプレートは、前ロックされた位置で、先ずコンタクトチャンバへのコンタクトの支承のない装着を許容し、次いで装着過程の終了時に、少なくとも半分のコンタクト幅だけコンタクトチャンバ軸線に対して横向きに移動させられる。この場合側方でコンタクトチャンバに突入するロック突起で、二次ロックプレートは、一方ではコンタクトの正確な差込深さを確認し、かつ他方では追加的なロックを確保する。
【発明の開示】
【発明が解決しようとする課題】
【０００４】
したがって本発明の課題は、冒頭で述べたような形式の、電気的な差込接続のためのコンタクトケーシングを改良して、多部分から成るコンタクトチャンバを備えた多ピン式で複数列のコネクタにおいて、射出技術的かつ離型技術的な観点から現在可能である以上に小さなコンタクト間隔を実現するようなものを提供することである。
【課題を解決するための手段】
【０００５】
この課題を解決するための本発明の装置によれば、ロックエレメントのガイド面が、差込方向でみてロック突起を越えて延びていて、かつ別のコンタクトチャンバにおいて一次係止されたコンタクトボディのための接触面を形成するようになっている。
【発明の効果】
【０００６】
本発明によれば、コンタクトチャンバのガイド機能は、ロックエレメントに移行され、これにより一次係止エレメントおよび導入ホッパを形成するための構造的な自由スペースが得られる。チャンバ壁の形成は、少なくとも部分的にロックエレメントに移行され、これにより従来における多部分から成るコンタクトチャンバを備えた多ピン式で複数列の差込接続で得られた間隔よりも小さなコンタクト間隔が実現される。本発明により、コンタクトチャンバの間の間隔を、進入するコンタクトから係止アームが回避するために必要とされるスペースに低減させることができる。コンタクトを狭い許容範囲で密に保持するために、係止アームの背部に設けられた追加的な壁はもはや不要である。したがって２つのコンタクトチャンバの間の完全な仕切壁を省略することができる。コンタクトは、一方では係止アームと、また他方ではコンタクト肩部の領域におけるロックエレメントのガイド面との間で満足できる程度に位置決めして保持することができる。特にコンタクトを支持するために中断された壁面を形成することができ、これは射出技術的かつ離型技術的に単個の構成部材では実現できない。
【０００７】
本発明によるコンタクトケーシングは、特にクリーンボディーコンタクトシステムのための係止フックの構成で、安定したコンタクトチャンバ壁を形成するのに適しており、ここではコンタクトは、狭い間隔で位置する列において相並んで配置されており、コンタクトは、前取付されて横向きに移動可能な二次ロックプレートによって追加的に確保される。
【０００８】
本発明の別の利点および有利な実施形態は、明細書、図面ならびに請求の範囲から理解することができる。
【発明を実施するための最良の形態】
【０００９】
次に本発明の実施の形態を図示の実施例を用いて詳しく説明する。
【００１０】
図１に示した、電気的な差込接続のためのコンタクトケーシング１は、相並んで配置された５列ａ〜ｅの、装着開口３を通ってコンタクトチャンバ２に差込可能なコンタクトボディ（コンタクト）４を収容するためのコンタクトチャンバ２と、終了位置までコンタクトチャンバ２に差し込まれたコンタクトボディ４を一次的に係止するための係止アーム５と、コンタクトチャンバ２に一次係止されたコンタクトボディ４を二次的にロックするための、コンタクトボディ４の差込方向６に対して横向きに、隣接する２つのコンタクトチャンバ２の間で移動可能にガイドされるロックエレメント７とを備えている。
【００１１】
コンタクトボディ４は、クリンプ領域（圧着領域）８を備えており、クリンプ領域８と電気的な線路９の一部とが堅固に結合されており、コンタクトボディ４は、クリンプ領域８以外では、矩形の横断面を有している。コンタクトボディ４の側壁に係止凹部１０が設けられている。
【００１２】
ロックエレメント７は、ケーシング下部１１とケーシング上部１２との間で可動にガイドされている。係止アーム５は、ケーシング下部１１と一体的に形成されていて、かつ差込方向６とは逆向きに２つのコンタクトチャンバ２の間で延びている。弾性的に変位可能な自由端部で、係止アーム５は、係止フック１３を備えており、係止フック１３は、図１では、側方で２つのコンタクトチャンバ２のうちの右側のコンタクトチャンバ２に突入している。ケーシング下部１１では、左右のコンタクトチャンバ２は、係止アーム５によってそれぞれ側方で制限されている。ケーシング上部１２では、左右のコンタクトチャンバ２の間にそれぞれ仕切壁１４が設けられている。
【００１３】
ロックエレメント７は、ロック位置において、ロック突起１５で、それぞれ側方で右側のコンタクトチャンバ２に突入し、横向きに移動させられた解放位置において、コンタクトボディ４を差し込むためにコンタクトチャンバ２を解放する。図１においてロックエレメント７は、列ａ〜ｄではそれぞれ解放位置で示し、また列ｅではロック位置で示した。ロック突起１５とは反対側の左側では、ロックエレメント７は、それぞれ左側のコンタクトチャンバ２内でコンタクトボディ４のためのガイド面１６を成しており、ガイド面１６は、図１の列ｄ，ｅで示したように、差込方向６でみてロック突起１５を越えて延びていて、したがって左側のコンタクトチャンバ２内で一次係止されるコンタクトボディ４のための接触面を成す。ロック突起１５に向いた右側では、ロックエレメント７は、それぞれ右側のコンタクトチャンバ２内で、同様にコンタクトボディのためのガイド面１７を成しており、ガイド面１７は、図１の列ｄ，ｅで示したように、差込方向６でみてロック突起１５を越えて延びていて、したがって右側のコンタクトチャンバ２内で一次係止されるコンタクトボディ４のための接触面を成す。ロックエレメント７の両ガイド面１６，１７は、それぞれ仕切壁１４と整合（同一面を成すこと）していて、かつガイド突起（ガイドキー）によって形成されており、ガイド突起により、ロックエレメント７は、ケーシング下部１１のガイド凹部１８内で横方向移動可能にガイドされている。
【００１４】
図１に示したコンタクトケーシングとは異なって、図２に示したコンタクトケーシング１では、係止アーム５が差込方向６で延びており、ロックエレメント７の右側のガイド面１７が、差込方向６でみてロック突起１５を越えて延びていない。左側のガイド面１６は、片側のガイド段部（ガイドキー）によって形成されており、ガイド段部によって、ガイドエレメント７は、ケーシング下部１１のガイド凹部１８内で横方向移動可能にガイドされている。さらにコンタクトチャンバ２の底部にそれぞれ短い仕切壁１９が設けられており、仕切壁１９は、コンタクトチャンバ２を右側で制限している。
【００１５】
以下に、コンタクトボディ４との、図１および図２に示したコンタクトケーシング１の装着について、それぞれ装着過程の時間経過を表した列ａ〜ｅに基づいて説明する。列ａでは、ロックエレメント７は、解放位置に位置しており、コンタクトボディ４は、ケーシング上部１２の装着開口３を通って２つの仕切壁１４の間でコンタクトチャンバ２に差し込まれる。列ｂでは、コンタクトボディ４は、引き続きの差込によってロックエレメント７の間でガイドされて、係止フック１３に接触させられる。列ｃでは、係止アーム５は、コンタクトボディ４のさらなる差込によって弾性的に変位され、それもさらなる差込によって係止フック１３が専らコンタクトボディ４の係止凹部１０に係合するかもしくは係止する（列ｄ）まで変位される。この時点でロックエレメント７は、横向きにロック位置に移動させられ、その位置では、ロック突起１５が差込方向６でコンタクトボディ４の肩部２０係合して、したがってコンタクトボディ４は、差込方向６とは逆向きにロックされている（列ｅ）。
【００１６】
列ｄ，ｅの一次係止されたコンタクトボディ４は、肩部２０の領域で、それぞれ２つのロックエレメント７のガイド面１６，１７の間で側方で正確に位置決めされ、かつ別の端部では、図１の場合、２つの係止アーム５の間で、または図２の場合、係止アーム５と短い側壁１９との間で側方で正確に位置決めされている。２つのコンタクトチャンバ２の間の最小間隔は、進入するコンタクトボディ４から係止アーム５が回避するために必要とされるスペースによって、要するに係止アーム５の幅によって設定されている。
【００１７】
列ａ〜ｅには、複数のコンタクトチャンバ２が設けられており、図３にはそれぞれ６つのコンタクトチャンバ２を備えた２つの列ａ，ｂを例示した。各列に１つのロックエレメント７が設けられており、ロックエレメント７は、列に沿ってケーシング下部のガイド凹部１８内で横方向移動可能（両矢２１）にガイドされていて、かつ各コンタクトチャンバ２のためにロック突起１５を備えている。装着過程の終了時点で、ロックエレメント７は、図３のａに示した解放位置から、半分のコンタクトチャンバ２幅だけコンタクトチャンバ軸線に対して横向きに図３のｂに示したロック位置に移動させられる。ロックエレメント７は、ロック突起１５で、一方ではコンタクトボディ４の正確な差込深さを確認し、かつ他方では追加的な（二次的な）ロックを確保する。
【００１８】
各列に関して個別的なロックエレメントの代わりに、多ピン式の差込接続では、多くの場合、いわゆる前組付されて横向きに移動可能な二次ロックプレートが使用され、二次ロックプレートは、解放位置で、先ず全てのコンタクトチャンバへのコンタクトボディのトラブルのない装着を許容して、次いで装着過程の終了時に、半分のコンタクトチャンバ幅だけコンタクトチャンバ軸線に対して横向きにロック位置に移動させられる。
【００１９】
図４および図５には、従来技術で公知の２つのコンタクトケーシング１０１を示した。以下に、コンタクトボディ４との、図４および図５に示したコンタクトケーシング１０１の装着について、それぞれ装着過程の時間経過を表した列ａ〜ｅに基づいて説明する。列ａでは、ロックエレメント１０７は、解放位置に位置しており、コンタクトボディ４は、装着開口１０３を通ってケーシング上部１１２の２つの仕切壁１１４の間でコンタクトチャンバ１０２に差し込まれる。列ｂでは、コンタクトボディ４は、引き続きの差込によって２つのロックエレメント７のガイド面１１６，１１７の間でガイドされて、係止フック１１３に接触させられる。列ｃでは、係止アーム１０５は、コンタクトボディ４のさらなる差込によって弾性的に変位され、それもさらなる差込によって係止フック１１３が専らコンタクトボディ４の係止凹部１０に係合するかもしくは係止する（列ｄ）まで変位される。この時点でロックエレメント１０７は、横向きにロック位置に移動させられ、その位置では、ロック突起１１５が差込方向６でコンタクトボディ４の肩部２０係合して、したがってコンタクトボディ４は、差込方向６とは逆向きにロックされている（列ｅ）。
【００２０】
列ｄ，ｅの一次係止されたコンタクトボディ４は、コンタクトチャンバ１０２内で、全長にわたって、ケーシング下部１１１の仕切壁１２４と係止アーム１０５との間で側方でガイドされて、そうして正確に位置決めされている。２つのコンタクトチャンバ１０２の間の最小間隔は、進入するコンタクトボディ４から係止アーム５が回避するために必要とされるスペースによって、要するに係止アーム１０５の幅ならびに仕切壁１２４の厚さによって設定されている。ロックエレメント１０７は、中央のガイドキー１２５を備えており、ガイドキー１２５は、ケーシング下部１１１とケーシング上部１１２との間で、ケーシング下部１１１のフラットなガイド溝１１８内で横方向移動可能にガイドされている。
【図面の簡単な説明】
【００２１】
【図１】コンタクトチャンバにそれぞれ異なる程度に挿入され、コンタクトチャンバ内で一次係止され、かつ二次ロックされた複数のコンタクトと複数のコンタクトチャンバとを備えた、本発明によるコンタクトケーシングの第１実施例を示す縦断面図である。
【図２】コンタクトチャンバにそれぞれ異なる程度に挿入され、コンタクトチャンバ内で一次係止され、かつ二次ロックされた複数のコンタクトと複数のコンタクトチャンバとを備えた、本発明によるコンタクトケーシングの第２実施例を示す縦断面図である。
【図３】図１のＩＩＩ線に沿って、図１に示したコンタクトケーシングを、ａは、ロックエレメントの解放位置で示す断面図であり、ｂは、ロックエレメントのロック位置で示す断面図である。
【図４】コンタクトチャンバにそれぞれ異なる程度に挿入され、コンタクトチャンバ内で一次係止され、かつ二次ロックされた複数のコンタクトと複数のコンタクトチャンバとを備えた、従来技術で公知のコンタクトケーシングの第１実施例を示す縦断面図である。
【図５】コンタクトチャンバにそれぞれ異なる程度に挿入され、コンタクトチャンバ内で一次係止され、かつ二次ロックされた複数のコンタクトと複数のコンタクトチャンバとを備えた、従来技術で公知のコンタクトケーシングの第２実施例を示す縦断面図である。
【符号の説明】
【００２２】
１  コンタクトケーシング、  ２  コンタクトチャンバ、  ３  装着開口、  ４  コンタクトボディ、  ５  係止アーム、  ６  差込方向、  ７  ロックエレメント、  ８  クリンプ領域、  ９  線路、  １０  係止凹部、  １１  ケーシング上部、  １２  ケーシング下部、  １３  係止フック、  １４  仕切壁、  １５  ロック突起、  １６  ガイド面、  １７  ガイド面、  １８  ガイド凹部、  １９  仕切壁、  ２０  肩部、  ２１  両矢、  １０１  コンタクトケーシング、  １０２  コンタクトチャンバ、  １０３  装着開口、  １０７  ロックエレメント、  １１１  ケーシング下部、  １１２  ケーシング上部、  １１３  係止フック、  １１４  仕切壁、  １１８  ガイド溝、  １２４  仕切壁、  １２５  ガイドキー、  ａ〜ｅ  列
【図１】
2007311347.tif 000003
【図２】
2007311347.tif 000004
【図３】
2007311347.tif 000005
【図４】
2007311347.tif 000006
【図５】
2007311347.tif 000007